(57)【特許請求の範囲】
【請求項１】
据付面に設置され、有底筒状であってその側壁下部に吸気口を有し、かつその天井部に排気口を有し、その内部の前記排気口近くに設けられ前記吸気口から外気を内部に取り込み、この取り込み外気を前記排気口から外部に排気する強制空冷式のファンを備えた少なくとも２個の制御盤容器と、
前記各制御盤容器内にそれぞれ収納され、発熱の大きい制御機器を含む制御盤本体と、を備えた少なくとも２台の制御盤と、
前記各制御盤容器の背面側同士を対向配置させると共に前記各制御盤本体同士を電気的に接続する配線接続スペースを確保した状態で前記各制御盤を設置し、
前記対向配置の制御盤容器の側壁に当接又は近接し、かつ前記据付面に設置され、有底筒状であってその天井部に吸気口を有し、かつその側壁下部に排気口を有した少なくとも２個の周辺機器盤容器と、
前記各周辺機器盤容器内にそれぞれ収納され、発熱の小さい周辺機器を含む周辺機器盤本体と、を備えた少なくとも２台の周辺機器盤と、
前記全ての制御盤容器の排気口及び前記全ての周辺機器盤容器の吸気口を包囲する天井開口部閉塞体を設け、
前記ファンを回転させることで、前記制御盤容器の吸気口から導かれる外気が前記制御盤容器の排気口から排気される際に前記制御盤容器内に発生する冷却風で前記制御盤本体が冷却され、かつ前記制御盤容器の排気口から排気される冷却風は、前記配線接続スペースに排気し、かつ前記周辺機器盤容器の吸気口から導かれると共にこの内部の周辺機器盤本体を冷却して前記周辺機器盤容器の排気口から排気されるようにしたことを特徴とする制御盤システム。
【請求項２】
据付面に設置され、有底筒状であってその側壁下部に吸気口を有し、かつその天井部に排気口を有し、その内部の前記排気口近くに設けられ前記吸気口から外気を内部に取り込み、この取り込み外気を前記排気口から外部に排気する強制空冷式のファンを備えた少なくとも４個の無停電電源装置盤容器と、
前記各無停電電源装置盤容器内にそれぞれ収納され、発熱の大きい無停電電源装置本体と、を備えた少なくとも４台の無停電電源装置盤と、
前記無停電電源装置盤容器のうちの対向配置の２個の無停電電源装置盤容器の背面側同士を対向させると共に対向配置の無停電電源装置本体同士を電気的に接続する配線接続スペースを確保した状態で前記各無停電電源装置盤を設置し、
前記対向配置の無停電電源装置盤容器の側壁に当接又は近接し、前記据付面に設置され、有底筒状であってその天井部に吸気口を有し、かつその側壁下部に排気口を有した入力盤容器と、
前記入力盤容器内に収納され、発熱の小さい入力盤本体と、を備えた入力盤と、
前記対向配置の無停電電源装置盤容器の側壁に当接又は近接し、前記据付面に設置され、有底筒状であってその天井部に吸気口を有し、かつその側壁下部に排気口を有した直流分岐盤容器と、
前記直流分岐盤容器内に収納され、発熱の小さい直流分岐盤本体と、を備えた直流分岐盤と、
前記対向配置でない無停電電源装置盤容器の側壁に当接又は近接し、前記据付面に設置され、有底筒状であってその天井部に吸気口を有し、かつその側壁下部に排気口を有した出力盤容器と、
前記出力盤容器内に収納され、発熱の小さい出力盤本体と、を備えた出力盤と、
前記全ての無停電電源装置盤容器の排気口及び前記入力盤容器の吸気口と、前記出力盤容器の吸気口と、前記直流分岐盤容器の吸気口を包囲する天井開口部閉塞体を設け、前記ファンを回転させることで、前記無停電電源装置盤容器の吸気口から導かれる外気が前記無停電電源装置盤容器の排気口から排気される際に前記無停電電源装置盤容器内に発生する冷却風で前記無停電電源装置本体が冷却され、かつ前記無停電電源装置盤容器の排気口から排気される冷却風は、前記配線接続スペースに排気し、かつ前記入力盤容器の吸気口、前記直流分岐盤容器の吸気口、前記出力盤容器の吸気口から導かれると共にこの内部の入力盤本体、直流分岐盤本体、出力盤本体を冷却して前記入力盤容器の排気口、前記直流分岐盤容器の排気口、前記出力盤容器の排気口から排気されるようにしたことを特徴とする制御盤システム。
【請求項３】
設置面に所定間隔を存して設置され、有底筒状であってその底面に吸気口を有し、かつその天井部に排気口を有し、その内部の前記排気口近くに設けられ前記吸気口から外気を内部に取り込み、この取り込み外気を前記排気口から外部に排気する強制空冷式のファンを備えた少なくとも２個の制御盤容器と、
前記各制御盤容器内にそれぞれ収納され、発熱の大きい制御機器を含む制御盤本体と、を備えた少なくとも２台の制御盤と、
前記各制御盤容器の背面側同士を対向配置させると共に前記各制御盤本体同士を電気的に接続する配線接続スペースを確保した状態で前記各制御盤を設置し、
前記対向配置の制御盤容器の側壁に当接又は近接し、かつ前記設置面に所定間隔を存して設置され、有底筒状であってその天井部に吸気口を有し、かつその底面に排気口を有した少なくとも２個の周辺機器盤容器と、
前記各周辺機器盤容器内にそれぞれ収納され、発熱の小さい周辺機器を含む周辺機器盤本体と、を備えた少なくとも２台の周辺機器盤と、
前記全ての制御盤容器の排気口及び前記全ての周辺機器盤容器の吸気口を包囲する天井開口部閉塞体を設け、
前記ファンを回転させることで、前記制御盤容器の吸気口から導かれる外気が前記制御盤容器の排気口から排気される際に前記制御盤容器内に発生する冷却風で前記制御盤本体が冷却され、かつ前記制御盤容器の排気口から排気される冷却風は、前記配線接続スペースに排気し、かつ前記周辺機器盤容器の吸気口から導かれると共にこの内部の周辺機器盤本体を冷却して前記周辺機器盤容器の排気口から排気されるようにしたことを特徴とする制御盤システム。
【請求項４】
設置面に所定間隔を存して設置され、有底筒状であってその底面に吸気口を有し、かつその天井部に排気口を有し、その内部の前記排気口近くに設けられ前記吸気口から外気を内部に取り込み、この取り込み外気を前記排気口から外部に排気する強制空冷式のファンを備えた少なくとも４個の無停電電源装置盤容器と、
前記各無停電電源装置盤容器内にそれぞれ収納され、発熱の大きい無停電電源装置本体と、を備えた少なくとも４台の無停電電源装置盤と、
前記無停電電源装置盤容器のうちの対向配置の２個の無停電電源装置盤容器の背面側同士を対向させると共に前記対向配置の無停電電源装置本体同士を電気的に接続する配線接続スペースを確保した状態で前記無停電電源装置盤を設置し、
前記対向配置の無停電電源装置盤容器の側壁に当接又は近接し、前記設置面に設置され、有底筒状であってその天井部に吸気口を有し、かつその底面部に排気口を有した入力盤容器と、
前記入力盤容器内に収納され、発熱の小さい入力盤本体と、を備えた入力盤と、
前記対向配置の無停電電源装置盤容器の側壁に当接又は近接し、前記設置面に所定間隔を存して設置され、有底筒状であってその天井部に吸気口を有し、かつその底面に排気口を有した直流分岐盤容器と、
前記直流分岐盤容器内に収納され、発熱の小さい直流分岐盤本体と、を備えた直流分岐盤と、
前記対向配置でない無停電電源装置盤容器の側壁に当接又は近接し、前記設置面に所定間隔を存して設置され、有底筒状であってその天井部に吸気口を有し、かつその底面に排気口を有した出力盤容器と、
前記出力盤容器内に収納され、発熱の小さい出力盤本体と、を備えた出力盤と、
前記全ての無停電電源装置盤容器の排気口と、前記入力盤容器の吸気口と、前記出力盤容器の吸気口と、前記直流分岐盤容器の吸気口を包囲する天井開口部閉塞体を設け、前記ファンを回転させることで、前記無停電電源装置盤容器の吸気口から導かれる外気が前記無停電電源装置盤容器の排気口から排気される際に前記無停電電源装置盤容器内に発生する冷却風で前記無停電電源装置本体が冷却され、かつ前記無停電電源装置盤容器の排気口から排気される冷却風は、前記配線接続スペースに排気し、かつ前記入力盤容器の吸気口、前記直流分岐盤容器の吸気口、前記出力盤容器の吸気口から導かれると共にこの内部の入力盤本体、直流分岐盤本体、出力盤本体を冷却して前記入力盤容器の排気口、前記直流分岐盤容器の排気口、前記出力盤容器の排気口から排気されるようにしたことを特徴とする制御盤システム。
【発明の詳細な説明】
【技術分野】
【０００１】
本発明の実施形態は、例えば複数台の無停電電源装置（ＵＰＳ）を組合わせたＵＰＳシステムのごとき制御盤システムに関する。
【背景技術】
【０００２】
従来ＵＰＳシステムとして、ＵＰＳ本体を天井部が開放された有底筒状の盤容器内に収納した無停電電源装置を多数台設置する際に、盤背面同士を対向させると共に、この部分に盤相互間の主回路配線を行うための配線スペースが確保されている。この場合、各盤容器内には、強制空冷方式のファンがそれぞれ設置され、このファンを回転させることで盤容器の下部側壁に形成されている吸気口から外気を盤容器内にとりこみ、この外気を盤容器の天井部の開口部から排気するように構成されている。
【０００３】
このように外気を盤容器内部に取り込むと共に、盤容器外部に排気することで、発熱体であるＵＰＳ本体が冷却されるようになっている。
【先行技術文献】
【特許文献】
【０００４】
【特許文献１】特開２００２―２７６８４号公報
【発明の概要】
【発明が解決しようとする課題】
【０００５】
従来は強制空冷方式でファンにより外気を盤容器内に引き込み、天井部に排気するため、天井部からの異物の混入等により無停電電源装置が停止する場合が考えられるため、これを防止するための対策が望まれている。
【０００６】
本発明は、比較的簡単な構成で、天井部からの異物混入等の悪影響を最小限にすることできる制御盤システムを提供することを目的とする。
【０００７】
天井部に傘状の覆いをしたり、排気ダクトを設けて天井部を囲う構成にする必要があった。
【０００８】
ＵＰＳシステムにおいて、盤背面に排気エリアを確保することと天井部に塞ぎを設けることで、天井部への排気を除去することが可能となり、天井スペースの確保及び天井部からの異物混入などの悪影響を最小限にすることを目的とする。
【課題を解決するための手段】
【０００９】
本実施の形態は、据付面に設置され、有底筒状であってその側壁下部に吸気口を有し、かつその天井部に排気口を有し、その内部の前記排気口近くに設けられ前記吸気口から外気を内部に取り込み、この取り込み外気を前記排気口から外部に排気する強制空冷式のファンを備えた少なくとも２個の制御盤容器と、前記各制御盤容器内にそれぞれ収納され、発熱の大きい制御機器を含む制御盤本体と、を備えた少なくとも２台の制御盤と、前記各制御盤容器の背面側同士を対向配置させると共に前記各制御盤本体同士を電気的に接続する配線接続スペースを確保した状態で前記各制御盤を設置し、前記対向配置の制御盤容器の側壁に当接又は近接し、かつ前記据付面に設置され、有底筒状であってその天井部に吸気口を有し、かつその側壁下部に排気口を有した少なくとも２個の周辺機器盤容器と、前記各周辺機器盤容器内にそれぞれ収納され、発熱の小さい周辺機器を含む周辺機器盤本体と、を備えた少なくとも２台の周辺機器盤と、前記全ての制御盤容器の排気口及び前記全ての周辺機器盤容器の吸気口を包囲する天井開口部閉塞体を設け、前記ファンを回転させることで、前記制御盤容器の吸気口から導かれる外気が前記制御盤容器の排気口から排気される際に前記制御盤容器内に発生する冷却風で前記制御盤本体が冷却され、かつ前記制御盤容器の排気口から排気される冷却風は、前記配線接続スペースに排気し、かつ前記周辺機器盤容器の吸気口から導かれると共にこの内部の周辺機器盤本体を冷却して前記周辺機器盤容器の排気口から排気されるようにしたものである。
【００１０】
本実施形態によれば、制御盤システムにおいて、盤背面に排気エリアを確保することと天井部に塞ぎを設けることで、天井部への排気を除去することが可能となり、天井スペースの確保及び天井部からの異物混入などの悪影響を最小限にすることができる。
【図面の簡単な説明】
【００１１】
【図１】制御盤システムの実施の形態１の斜視図。
【図２】図１の天井開口部閉塞体を取外した状態を示す斜視図。
【図３】図１の電気配線図。
【図４】図１の作用効果を説明するための側断面図。
【図５】図４の上面図。
【図６】図１の作用効果を説明するための側断面図。
【図７】図６の上面図。
【図８】図１の作用効果を説明するための側断面図。
【図９】図８の上面図。
【図１０】制御盤システムの実施の形態２の側断面図。
【発明を実施するための形態】
【００１２】
以下、本発明の実施の形態について図面を参照して説明する。図１は実施の形態１である、例えばＵＰＳシステムを示す斜視図であり、図２は後述する図１の天井開口部閉塞体（蓋）９を取外した状態を示す斜視図である。これは、第１の無停電電源装置盤（ＵＰＳ盤）１、第２の無停電電源装置盤（ＵＰＳ盤）２、第３の無停電電源装置盤（ＵＰＳ盤）３、第４の無停電電源装置盤（ＵＰＳ盤）４、第５の無停電電源装置盤（ＵＰＳ盤）５と、入力盤６、直流分岐盤７、出力盤８を、以下のような状態で設置したものである。
【００１３】
無停電電源装置盤１は、無停電電源装置盤容器１ａと、無停電電源装置盤容器１ａ内に収納された発熱の大きい無停電電源装置本体１ｂを備えている。無停電電源装置盤２、３、４、５も無停電電源装置盤１と同様に、無停電電源装置盤容器２ａ、３ａ、４ａ、５ａと、無停電電源装置盤容器２ａ、３ａ、４ａ、５ａ内に収納された発熱の大きい無停電電源装置機器を含む無停電電源装置本体２ｂ、３ｂ、４ｂ、５ｂを備えている。
【００１４】
各無停電電源装置盤容器１ａ、２ａ、３ａ、４ａ、５ａは、各々据付面に設置され、有底筒状例えば直方体状であってその側壁下部に吸気口１ａ１、２ａ１、３ａ１、４ａ１、５ａ１を有し、かつその天井部に排気口１ａ２、２ａ２、３ａ２、４ａ２、５ａ２を有し、その内部の排気口近くに設けられ吸気口から外気を内部に取り込み、この取り込み外気を排気口１ａ２、２ａ２、３ａ２、４ａ２、５ａ２から外部に排気する強制空冷式のファン（図示せず）を備えている。
【００１５】
入力盤６は、有底筒状例えば直方体状であってその天井部に吸気口６ａ１を有し、かつその側壁下部に排気口６ａ２を有した入力盤容器６ａと、入力盤容器６ａ内に収納され、発熱の小さい入力盤本体６ｂとを備えている。
【００１６】
直流分岐盤７は、据付面に設置され、有底筒状例えば直方体状であってその天井部に吸気口７ａ１を有し、かつその側壁下部に排気口７ａ２を有した直流分岐盤容器７ａと、直流分岐盤容器７ａ内に収納され、発熱の小さい直流分岐盤本体７ｂとを備えている。
【００１７】
出力盤８は、据付面に設置され、有底筒状例えば直方体状であってその天井部に吸気口８ａ１を有し、かつその側壁下部に排気口８ａ２を有した出力盤容器８ａと、出力盤容器８ａ内に収納され、発熱の小さい出力盤本体８ｂとを備えている。
【００１８】
無停電電源装置盤容器１ａ、３ａの背面側同士並びに無停電電源装置盤容器２ａ、４ａの背面側同士を対向させると共に無停電電源装置盤容器１ａ−３ａ、２ａ−４ａ同士を電気的に接続する配線接続スペース１３、２４を確保した状態で無停電電源装置１、３、２、４を設置し、また無停電電源装置盤容器５ａ及び出力盤容器８ａの背面側同士を対向させると共に無停電電源装置盤容器５ａ及び出力盤容器８ａ同士を電気的に接続する配線接続スペース５８を確保した状態で無停電電源装置５及び出力盤８を設置してある。
【００１９】
そして無停電電源装置盤容器１ａ、２ａの間並びに無停電電源装置盤容器３ａ、４ａの間に、直流分岐盤容器７ａを当接（又は近接）するように設置し、無停電電源装置盤容器１ａ、３ａの一側壁に入力盤容器６ａの他側壁を当接（又は近接する）ように設置し、無停電電源装置盤容器２ａの他側壁に出力盤容器８ａの一側壁を当接（又は近接する）ように設置し、無停電電源装置盤容器４ａの他側壁に無停電電源装置盤容器５ａの一側壁を当接（又は近接する）ように設置してある。
【００２０】
さらに全ての無停電電源装置盤容器１ａ、２ａ、３ａ、４ａの排気口１ａ２、２ａ２、３ａ２、４ａ２及び入力盤容器６ａの吸気口６ａ１と、出力盤容器８ａの吸気口８ａ１と、直流分岐盤容器７ａの吸気口７ａ１を包囲する天井開口部閉塞体（蓋）９を設けている。
【００２１】
各無停電電源装置本体１ｂ〜５ｂは、いずれも図３に示すようにコンバータＣＮと、インバータＩＮと、チョッパＣＰと、第１、第２、第３のコンデンサＣ１、Ｃ２、Ｃ３と、第１、第２、第３のリアクトルＬ１、Ｌ２、Ｌ３と、第１、第２の遮断器ＣＢ１、ＣＢ２と、第１、第２、第３の接触器Ｍ１、Ｍ２、Ｍ３と、バイパス回路ＢＰと、第１、第２のスイッチング素子Ｓ１、Ｓ２とを備えている。
【００２２】
入力盤本体６ｂは、電力系統１００からの電力を各無停電電源装置本体１ｂ〜５ｂに分岐するように構成され、第３〜第１２の遮断器ＣＢ３、ＣＢ４、ＣＢ５、ＣＢ６、ＣＢ７、ＣＢ８、ＣＢ９、ＣＢ１０、ＣＢ１１、ＣＢ１２と、第１〜第５の電流計Ａ１、Ａ２、Ａ３、Ａ４、Ａ５とを備えている。
【００２３】
直流分岐盤本体７ｂは、無停電電源装置本体１ｂ〜５ｂにおけるコンバータＣＮとインバータＩＮの接続点である、直流回路と図示しない盤外に設置された複数のバッテリＢ１、Ｂ２、Ｂ３を接続するものであって、遮断器ＣＢ１３、ＣＢ１４、ＣＢ１５と、電流計Ａ６、Ａ７、Ａ８、Ａ９と、電圧計Ｖ１とを備えている。
【００２４】
出力盤本体８ｂは、無停電電源装置本体１ｂ〜５ｂからの出力である、交流電力を負荷２００に供給するためのものであって、遮断器ＣＢ１６、ＣＢ１７、ＣＢ１８、ＣＢ１９、ＣＢ２０と、電圧計Ｖ２、周波数計Ｆ１、電流計Ａ１０、電力計Ｗ１、力率計ＰＦ１を含むモニタを備えている。なお、図３において、ＦＳ１、ＦＳ２、ＦＳ３はヒューズである。
【００２５】
このような構成において、無停電電源装置盤容器１ａ、２ａ、３ａ、４ａ、５ａ内のファンを回転させることで、無停電電源装置盤容器１ａ、２ａ、３ａ、４ａ、５ａの吸気口１ａ１、２ａ１、３ａ１、４ａ１、５ａ１から導かれる外気が無停電電源装置盤容器１ａ、２ａ、３ａ、４ａ、５ａの排気口１ａ２、２ａ２、３ａ２、４ａ２、５ａ２から排気される際に無停電電源装置盤容器１ａ、２ａ、３ａ、４ａ、５ａ内に発生する冷却風で無停電電源装置本体１ｂ、２ｂ、３ｂ、４ｂ、５ｂが冷却され、かつ無停電電源装置盤容器１ａ、２ａ、３ａ、４ａ、５ａの排気口１ａ２、２ａ２、３ａ２、４ａ２、５ａ２から排気される冷却風は入力盤容器６ａの吸気口６ａ１、直流分岐盤容器７ａの吸気口７ａ１、出力盤容器８の吸気口８ａ１から導かれると共にこの内部の入力盤本体８ｂ、直流分岐盤本体７ｂ、出力盤本体８ｂを冷却して入力盤容器６ａの排気口６ａ２、直流分岐盤容器７ａの排気口７ａ２、出力盤容器８ａの排気口８ｂ２から排気される。
【００２６】
また、この場合無停電電源装置盤容器１ａ、３ａの背面側同士並びに無停電電源装置盤容器２ａ、４ａの背面側同士を対向させると共に無停電電源装置本体盤容器１ｂ−３ｂ、２ｂ−４ｂ同士を電気的に接続する配線接続スペース１３、２４の天井部から底面側に風が流れるので、この部分も冷却される。
【００２７】
以上述べた実施の形態の制御盤システムによれば、全ての無停電電源装置盤容器１ａ、２ａ、３ａ、４ａ、５ａの排気口１ａ２、２ａ２、３ａ２、４ａ２、５ａ２及び入力盤容器６ａの吸気口６ａ１と、出力盤容器８ａの吸気口８ａ１と、直流分岐盤容器７ａの吸気口７ａ１を包囲する天井開口部閉塞体９を設けるだけの比較的簡単な構成で、天井部からの異物混入等の悪影響を最小限にすることできる。この場合、盤容器１ａ〜５ａ内にある発熱の大きい無停電電源装置本体１ｂ〜５ｂは、盤容器１ａ〜５ａ内のファンを回転させることで、冷却されることはもちろん、発熱の小さい周辺機器盤例えば入力盤６、直流分岐盤７、出力盤８の盤本体並びに盤容器１ａ−３ａ、２ａ−４ａの背面側の盤本体１ｂ−３ｂ、２ｂ−４ｂ同士を電気的に接続する配線接続スペース１３、２４も冷却されるので、制御盤システム全体の冷却が図れ、熱損失をすくなくできる。この結果、制御盤システム例えばＵＰＳシステムの信頼性が向上する。
【００２８】
図１０は、実施の形態２を説明するための図で、少なくとも４個、ここでは５個の無停電電源装置盤容器１ａ〜５ａを例えば車輪１０を有する車軸に載置させ、これにより設置面に上方位置に設置したものである。この場合、盤容器１ａ〜５ａは、有底筒状例えば直方体状であってその底面に吸気口１ａ１、２ａ１、３ａ１、４ａ１、５ａ１を有し、かつその天井部に排気口１ａ２、２ａ２、３ａ２、４ａ２、５ａ２を有し、その内部の前記排気口近くに設けられ前記吸気口から外気を内部に取り込み、この取り込み外気を前記排気口から外部に排気する強制空冷式のファン（図示せず）を備えたものである。
【００２９】
図１０は、コンテナに搭載するようなシステム（高さ制限があるような場合）では、盤容器側面の吸気口ではなく、盤容器底面に形成されている開口部を吸排気口として利用するようにしたものである。
【００３０】
これ以外の構成は、前述した実施の形態１と同じである。従って、実施の形態２の作用効果も、実施の形態１と同じであるので、その説明を省略する。
【００３１】
以上述べた実施の形態１、２は、いずれもＵＰＳ１〜ＵＰＳ５と、入力盤６と、直流分岐盤７と、出力盤８を備え、これらを図２のような配置構成としたものについて説明したが、これに限らず少なくとも２台の制御盤及び少なくとも２台の周辺機器盤を、請求項１及び請求項３に記載のようにしてもよく、また請求項２及び請求項４のように記載したものでもよい。
【００３２】
各盤容器として有底筒状のもの、例えば直方体状のものをあげたが、これに限らずなんでもよい。
【符号の説明】
【００３３】
１〜５…無停電電源装置盤、１ａ〜５ａ…無停電電源装置盤容器、１ａ１〜５ａ１…吸気口、１ａ２〜５ａ２…排気口、１ｂ〜５ｂ…無停電電源装置本体、６…入力盤、６ａ…入力盤容器、６ｂ…入力盤本体、６ａ１…吸気口、６ａ２…排気口、７…直流分岐盤、７ａ…直流分岐盤容器、７ｂ…直流分岐盤本体、７ａ１…吸気口、７ａ２…排気口、８…出力盤、８ａ…出力盤容器、８ｂ…出力盤本体、８ａ１…吸気口、８ａ２…排気口、９…天井開口部閉塞体（蓋）、１０…車輪、１３、２４、５８…配線接続スペース、１００…電力系統、２００…負荷。
【図１】
0005636334.tif 000002
【図２】
0005636334.tif 000003
【図３】
0005636334.tif 000004
【図４】
0005636334.tif 000005
【図５】
0005636334.tif 000006
【図６】
0005636334.tif 000007
【図７】
0005636334.tif 000008
【図８】
0005636334.tif 000009
【図９】
0005636334.tif 000010
【図１０】
0005636334.tif 000011